(57)【特許請求の範囲】
【請求項１】
前面、上面及び背面が外部に露出した状態で構築されたコンクリート構造物の補強構造であって、
前記コンクリート構造物の前面、上面及び少なくとも背面上部を、前記前面に沿って上下方向に延びる前部、前記上面に沿って前後方向に延びる上部及び前記背面に沿って上下方向に延びる背部を互いに連結して構成された鋼製の枠体で囲むことにより、当該コンクリート構造物の横断面が一体化されていることを特徴とするコンクリート構造物の補強構造。
【請求項２】
前記枠体を固定部材によって前記コンクリート構造物に固定している請求項１記載のコンクリート構造物の補強構造。
【請求項３】
前記固定部材がアンカーボルトであり、このアンカーボルトの各端部が前記コンクリート構造物を貫通した状態で前記枠体の前部及び背部にそれぞれ固定されている請求項２記載のコンクリート構造物の補強構造。
【請求項４】
コンクリート構造物の前面と前記枠体との間に、コンクリート片の落下を防止する防護板を介在している請求項１記載のコンクリート構造物の補強構造。
【発明の詳細な説明】
【０００１】
【発明の属する技術分野】
この発明は、堰堤、擁壁、土留、基礎等のコンクリート構造物の補強構造に関する。
【０００２】
【従来の技術と発明が解決しようとする課題】
近年、前記堰堤等のコンクリート構造物において、アルカリ骨材反応、老朽化、地盤沈下、土圧の変化及び地震等に起因して、内部や表面に亀裂が発生し、その強度が低下して本来の機能を有効に発揮し得なくなる現象が生じている。
このような亀裂が発生したコンクリート構造物については、応急処置として当該亀裂に樹脂やコンクリート等を充填することが行われている。ところが亀裂に樹脂やコンクリート等を充填するだけでは、現状の亀裂を封鎖するにとどまり、本来の機能回復には至らない。また、亀裂が進展するのを抑制することもできないので、コンクリート構造物が何れ崩壊するおそれがある。このため、恒久的な対策としては、亀裂の発生したコンクリート構造物を取り壊して再度構築する以外にないのが実状である。しかし、この場合には、施工に困難を伴うとともに、施工コストが高く付くという問題がある。
この発明は前記問題点に鑑みてなされたものであり、強度低下を生じたコンクリート構造物を容易且つコスト安価に補強することができるとともに、補強効果を恒久的に維持することができるコンクリート構造物の補強構造を提供することを目的とする。
【０００３】
【課題を解決するための手段】
前記目的を達成するためのこの発明のコンクリート構造物の補強構造は、前面、上面及び背面が外部に露出した状態で構築されたコンクリート構造物の補強構造であって、前記コンクリート構造物の前面、上面及び少なくとも背面上部を、前記前面に沿って上下方向に延びる前部、前記上面に沿って前後方向に延びる上部及び前記背面に沿って上下方向に延びる背部を互いに連結して構成された鋼製の枠体で囲むことにより、当該コンクリート構造物の横断面が一体化されていることを特徴としている（請求項１）。
このような構成のコンクリート構造物の補強構造によれば、強度が低下したコンクリート構造物を枠体で補強することができるとともに、当該コンクリート構造物の一体性を恒久的に確保することができる。
【０００４】
前記コンクリート構造物の補強構造においては、前記枠体を固定部材によって前記コンクリート構造物に固定しているのが好ましく（請求項２）、この場合には、前記コンクリート構造物の一体性をより効果的に高めることができる。
【０００５】
前記コンクリート構造物の補強構造（請求項２）においては、固定部材がアンカーボルトで構成され、このアンカーボルトの各端部が前記コンクリート構造物を貫通した状態で前記枠体の前部及び背部にそれぞれ固定されていてもよい（請求項３）。
この場合には、前記アンカーボルトによって枠体とコンクリート構造物との一体性を良好に確保することができる。
【０００６】
前記コンクリート構造物の補強構造においては、コンクリート構造物の前面と前記枠体との間に、コンクリート片の落下を防止する防護板を介在しているのが好ましい（請求項４）。
この場合には、コンクリート構造物から剥離したコンクリート片が落下するのを、防護板によって防止することができる。
【０００７】
【発明の実施の形態】
以下この発明の実施の形態について添付図面を参照しながら説明する。
図１はこの発明のコンクリート構造物の補強構造を示す断面図であり、図２は正面図である。この実施の形態においては、無筋コンクリート構造物である堰堤Ａを補強する場合を示している。
前記堰堤Ａはアルカリ骨材反応や老朽化等によって表面や内部に亀裂が発生したものであり、その前面Ａ１、上面Ａ２及び背面Ａ３が、複数の枠体１で囲まれている。
【０００８】
前記枠体１は溝形鋼等の形鋼や角パイプ等を溶接したりボルトで連結したりすることによって、事前に或いは施工現場で作製されたものである。この枠体１の前部１１は堰堤Ａの前面Ａ１に沿って傾斜した状態で上下方向に延びており、その上部１２は堰堤Ａの上面に沿って水平方向に延びている。また、枠体１の背部１３は、堰堤Ａの背面Ａ３に沿って鉛直に延びており、その下部側の所定範囲が堰堤Ａの背後の土壌Ｂに打ち込まれている。
【０００９】
各枠体１は堰堤Ａの横方向に沿って所定間隔毎（例えば３０ｃｍ毎）に配置されており、各枠体１の上部１２は、当該上部１２に掛け渡した形鋼からなる横桁２に、溶接或いはボルト止め等にて連結されている。
各枠体１は固定部材としてのアンカーボルト３によって、堰堤Ａに固定されている。このアンカーボルト３は枠体１の前部１１、堰堤Ａ及び枠体１の背部１３をそれぞれ貫通しており、この貫通状態で枠体１を堰堤Ａととともに挟み込んで、当該枠体１を堰堤Ａに対して一体化している。すなわち、前記アンカーボルト３の土壌Ｂに臨む側の端部３１は、当該端部３１に出没可能に内蔵された逆止爪３３によって枠体１の背部１３に固定され、この状態で枠体１の前部１１側の端部３２にナット３４をねじ込んで締め付けることにより、枠体１を堰堤Ａととともに挟み込んで、当該枠体１を堰堤Ａに対して一体化している（図３参照）。前記逆止爪３３は、アンカーボルト３に対して回転可能に軸止されており、その軸線をアンカーボルト３の軸線に沿わせた状態で、枠体１の前部１１、堰堤Ａ及び枠体１の背部１３に形成された孔Ｃを貫通させ、この貫通状態で軸線がアンカーボルト３の軸線に対して直交するようにばね等によって回転させることにより、枠体１の背部１３に係止させる。
【００１０】
なお、前記枠体１の前部１１の下端部は、アンカーボルト３によって堰堤Ａの下方の土壌或いはこの土壌に埋設されたセメントアンカーに対して固定されているのが好ましい。また、前記堰堤Ａの背面の土壌Ｂには、グラウト処理を施しておくのが、当該土壌Ｂ自体の強度を確保できることから好ましい。
【００１１】
以上の構成であれば、前記枠体１によって堰堤Ａを恒久的に補強することができる。また、堰堤Ａの一体性を当該枠体１によって良好に確保することができるので、堰堤Ａのひび割れが極端に進展して堰堤Ａの一部が崩壊した場合でも、堰堤Ａの全体重量が減少するのを防止することができる。このため、重量減によって堰堤Ａの機能が低下するのを防止することができる。
また、前記アンカーボルト３が堰堤Ａを貫通した状態で前記枠体１の背部１３に固定されているので、枠体１と堰堤Ａとの一体性を極めて良好に確保することができ、堰堤Ａをより効果的に補強することができる。
【００１２】
図４は他の実施の形態を示す断面図である。この実施の形態が図１に示す実施の形態と異なる点は、堰堤Ａの前面Ａ１と枠体１の前部１１との間に防護板４を介在している点である。この防護板４は各枠体１の前部１１の相互間の隙間を閉塞するように堰堤Ａの前面Ａ１の全体に沿わせてある。この防護板４としては、鋼板やグレーチング板等を用いることができる。
この実施の形態においては、堰堤Ａから剥離した細かいコンクリート片が落下するのを防護板４によって防止することができる。このため、堰堤Ａの重量が減少するのをより効果的に防止することができるとともに、良好な安全性を確保することができる。
【００１３】
図５はさらに他の実施の形態を示す断面図である。この実施の形態においては、枠体１の背部１３を堰堤Ａの背面Ａ３の上部にのみに沿わせている。また、堰堤Ａの前面Ａ１側にグラウド処理を施して当該堰堤Ａを補強しているとともに、このグラウド処理を施した部分Ａ４に、枠体１の前部１１を貫通させたアンカーボルト３の先端を固定している。但し、このアンカーボルト３は堰堤Ａを貫通させた状態で、その先端を堰堤Ａの背面の土壌Ｂに埋設したセメントアンカーに固定してもよい。
【００１４】
この発明のコンクリート構造物の補強構造は、前記した実施の形態に限定されるものでなく、例えば固定部材として前記アンカーボルト３に代えてワイヤを用いること、固定部材を省略すること、横桁２を各枠体１の前部１１にも掛け渡すこと等、種々の設計変更を施すことができる。また、この発明のコンクリート構造物の補強構造は、擁壁、土留、基礎等、前記堰堤Ａ以外の各種コンクリート構造物の補強構造としても勿論適用することができる。
【００１５】
【発明の効果】
以上のように、請求項１記載のコンクリート構造物の補強構造によれば、強度が低下したコンクリート構造物の横断面を、枠体によって補強及び一体化するものであるので、容易且つコスト安価にコンクリート構造物の機能を恒久的に維持することができる。
請求項２記載のコンクリート構造物の補強構造によれば、前記枠体を固定部材によって前記コンクリート構造物に固定しており、当該コンクリート構造物の一体性をより効果的に高めることができるので、コンクリート構造物をより強固に補強することができる。
【００１６】
請求項３記載のコンクリート構造物の補強構造によれば、固定部材としてのアンカーボルトが前記コンクリート構造物を貫通した状態で前記枠体のうちのコンクリート構造物の背面に沿わせた部分に固定されているので、枠体とコンクリート構造物との一体性を極めて良好に確保することができ、コンクリート構造物をより一層強固に補強することができる。
請求項４記載のコンクリート構造物の補強構造によれば、コンクリート構造物から剥離したコンクリート片が落下するのを、防護板によって防止することができるので、コンクリート構造物の重量が減少するのを防止することができる。このため、当該コンクリート構造物の機能低下をより効果的に防止することができるとともに、良好な安全性を確保することができる。
【図面の簡単な説明】
【図１】この発明の一実施形態に係るコンクリート構造物の補強構造を示す断面図である。
【図２】図１の要部正面図である。
【図３】アンカーボルトの取り付け構造を示す要部断面図である。
【図４】他の実施の形態を示す断面図である。
【図５】さらに他の実施の形態を示す断面図である。
【符号の説明】
１      枠体
３      アンカーボルト（固定部材）
４      防護板
Ａ      堰堤（コンクリート構造物）
Ａ１    前面
Ａ２    上面
Ａ３    背面
【図１】
0003594551.tif 000002
【図２】
0003594551.tif 000003
【図３】
0003594551.tif 000004
【図４】
0003594551.tif 000005
【図５】
0003594551.tif 000006